(57)【要約】【課題】燃料タンクを封鎖している封鎖弁が開弁して大量の燃料蒸気がキャニスタに導入されても迅速に対処することで内燃機関の空燃比の荒れを防止することを目的とする。【解決手段】タンク内圧Ｐｔｆと封鎖弁への出力デューティＤｕｔｙとからパージ燃料濃度変化量Δｆｇｐｇを算出し（Ｓ１０８）、この値から、引き起こされる空燃比の荒れを防止できる制限パージ率Ｌｔｐｇを算出して（Ｓ１１０）、パージ率を制限している（Ｓ１１４，Ｓ１１６）。制限パージ率Ｌｔｐｇはリッチ側の許容空燃比を限界としてパージ率を制限するように設定されたものである。したがって封鎖弁の開弁によりパージ燃料濃度が急激に高濃度化しても、これに対応してパージ率でパージ量を制限できることから、混合気がリッチ側に大きく偏る事態を防止できる。このことにより封鎖弁開弁に迅速に対処でき、空燃比の荒れを防止することができる。【選択図】図２
2013036392.tif 000002
【特許請求の範囲】
【請求項１】
内燃機関の燃料タンク、キャニスタ、キャニスタと燃料タンクとを接続する蒸発燃料通路、キャニスタと内燃機関の吸気通路とを接続するパージ通路、及びパージ通路に設けられたパージ制御弁を備え、パージ制御弁の開度によりパージ率を調節することでパージ制御を実行する蒸発燃料処理装置であって、
前記蒸発燃料通路に設けられて、開弁により前記燃料タンクと前記キャニスタとの間を連通し、閉弁により前記燃料タンクと前記キャニスタとの間を封鎖する封鎖弁と、
前記燃料タンクの内圧を検出する燃料タンク内圧検出手段と、
前記燃料タンク内圧検出手段により検出された内圧が基準内圧よりも高い場合に、前記封鎖弁を開弁する封鎖弁開弁手段と、
前記封鎖弁開弁手段による封鎖弁の開弁により前記蒸発燃料通路を介して前記燃料タンクから前記キャニスタに導入される燃料量、又はこの燃料量導入に対応して変化する物理量を求めるキャニスタ導入燃料状態検出手段と、
前記キャニスタ導入燃料状態検出手段にて求められた燃料量又は物理量に基づいて前記パージ率を制限するパージ制限手段と、
を備えたことを特徴とする蒸発燃料処理装置。
【請求項２】
請求項１に記載の蒸発燃料処理装置において、前記キャニスタ導入燃料状態検出手段は、前記燃料タンク内圧検出手段にて検出された前記燃料タンクの内圧と、前記封鎖弁開弁手段による前記封鎖弁の開弁制御状態とに基づいて、前記燃料量導入に対応して変化する物理量としてのパージ燃料濃度変化量を求めることを特徴とする蒸発燃料処理装置。
【請求項３】
請求項２に記載の蒸発燃料処理装置において、前記封鎖弁は電磁弁であり、前記封鎖弁開弁手段は、前記封鎖弁をデューティ制御により開弁制御し、このデューティ制御における出力デューティが前記開弁制御状態に相当することを特徴とする蒸発燃料処理装置。
【請求項４】
請求項２に記載の蒸発燃料処理装置において、前記封鎖弁は電磁弁であり、前記封鎖弁開弁手段は、前記封鎖弁を電流量制御により開弁制御し、この電流量制御における電流量、電力量又は電圧値が前記開弁制御状態に相当することを特徴とする蒸発燃料処理装置。
【請求項５】
請求項１〜４のいずれか一項に記載の蒸発燃料処理装置において、前記パージ制限手段は、内燃機関にて燃焼される混合気におけるリッチ側の許容空燃比を限界として、前記パージ率を制限するものであることを特徴とする蒸発燃料処理装置。
【請求項６】
請求項１〜５のいずれか一項に記載の蒸発燃料処理装置において、前記パージ制限手段は、前記パージ率の制限を開始してから、前記パージ制御での積算パージ量が基準量より大きくなった場合に前記パージ率の制限を解除することを特徴とする蒸発燃料処理装置。
【請求項７】
請求項１〜５のいずれか一項に記載の蒸発燃料処理装置において、前記パージ制限手段は、前記パージ率の制限を開始してから、空燃比フィードバック制御による空燃比が安定した場合に前記パージ率の制限を解除することを特徴とする蒸発燃料処理装置。
【発明の詳細な説明】
【技術分野】
【０００１】
本発明は、内燃機関の燃料タンク、キャニスタ、キャニスタと燃料タンクとを接続する蒸発燃料通路、キャニスタと内燃機関の吸気通路とを接続するパージ通路、及びパージ通路に設けられたパージ制御弁を備え、パージ制御弁の開度によりパージ率を調節することでパージ制御を実行する蒸発燃料処理装置に関する。
【背景技術】
【０００２】
給油時に燃料タンクから外部に燃料蒸気が排出されることを防止するために、燃料タンク内の燃料蒸気を一旦キャニスタに吸着させ、その後の内燃機関運転時に吸気中にパージする蒸発燃料処理装置が知られている。
【０００３】
しかしパージされる燃料濃度が濃い場合には、空燃比フィードバック制御下においても空燃比が荒れて問題が生じる。具体的には、空燃比がパージによりリッチに偏ったりして変動すると、エミッションの悪化、ドライバビリティ悪化、あるいは空燃比学習制御上の誤差が大きくなるおそれがある。
【０００４】
このようなパージによる空燃比の荒れによる問題を解決する技術が提案されている（例えば特許文献１参照）。この特許文献１では、空燃比フィードバック制御の学習完了時にはパージ時の制御ずれ量に基づいてパージ燃料濃度を検出し、リッチではパージ率を減少させ、リーンではパージ率を増加させている。
【先行技術文献】
【特許文献】
【０００５】
【特許文献１】特開平７−３０５６４６号公報（第５頁、図２〜３）
【発明の概要】
【発明が解決しようとする課題】
【０００６】
パージ燃料濃度は、空燃比フィードバック制御のずれ量により求められているため、急激にパージ燃料濃度が増加した場合には対処できない。
ハイブリッド車両（プラグイン型ハイブリッド車両を含む）において、燃料タンクとキャニスタとの間に封鎖弁を設けた燃料供給系が存在する。このような燃料供給系では、給油時以外は通常、封鎖弁は閉弁状態にあり、燃料タンクは密閉されている。このため昇温や気圧変化により燃料タンクの内圧が過剰なものとなった場合には、封鎖弁を開弁して、燃料タンク内圧をキャニスタ側に逃す処理が行われる。
【０００７】
このような処理時には燃料タンク内の燃料蒸気が大量にキャニスタ側に導入されることになる。このタイミングあるいはその後に、内燃機関の吸気系にパージが実行された場合には、今までよりも格段に濃厚なパージ燃料濃度となる。このため内燃機関に供給される混合気はリッチ側に大きく偏る事態となる。
【０００８】
しかし空燃比フィードバック制御によりパージ燃料濃度を求めていたのでは、このような急激なパージ燃料濃度の増加には迅速に対処できない。このため空燃比を早期に元に戻すことはできず、許容できるリッチ空燃比を越えた空燃比での燃焼をしばらく継続するおそれが生じる。このためパージによる空燃比の荒れについては十分に対処できない。
【０００９】
本発明は封鎖弁が開弁して大量の燃料蒸気がキャニスタに導入されても迅速に対処することにより、パージによる空燃比の荒れを防止することを目的とするものである。
【課題を解決するための手段】
【００１０】
以下、上記目的を達成するための手段及びその作用・効果について記載する。
請求項１に記載の蒸発燃料処理装置は、内燃機関の燃料タンク、キャニスタ、キャニスタと燃料タンクとを接続する蒸発燃料通路、キャニスタと内燃機関の吸気通路とを接続するパージ通路、及びパージ通路に設けられたパージ制御弁を備え、パージ制御弁の開度によりパージ率を調節することでパージ制御を実行する蒸発燃料処理装置であって、前記蒸発燃料通路に設けられて、開弁により前記燃料タンクと前記キャニスタとの間を連通し、閉弁により前記燃料タンクと前記キャニスタとの間を封鎖する封鎖弁と、前記燃料タンクの内圧を検出する燃料タンク内圧検出手段と、前記燃料タンク内圧検出手段により検出された内圧が基準内圧よりも高い場合に、前記封鎖弁を開弁する封鎖弁開弁手段と、前記封鎖弁開弁手段による封鎖弁の開弁により前記蒸発燃料通路を介して前記燃料タンクから前記キャニスタに導入される燃料量、又はこの燃料量導入に対応して変化する物理量を求めるキャニスタ導入燃料状態検出手段と、前記キャニスタ導入燃料状態検出手段にて求められた燃料量又は物理量に基づいて前記パージ率を制限するパージ制限手段とを備えたことを特徴とする。
【００１１】
キャニスタ導入燃料状態検出手段が、封鎖弁開弁手段による封鎖弁の開弁により、蒸発燃料通路を介して燃料タンクからキャニスタに導入される燃料量又はこの燃料量導入に対応して変化する物理量を求めている。
【００１２】
キャニスタに導入される燃料量が判明すれば、直接的にキャニスタにおける燃料蒸気の吸着量増加状態が判明する。そして、このことにより、その時あるいはその後に内燃機関の吸気系にパージが実行された場合に、今までよりも、どの程度、濃厚なパージ燃料濃度となるかが直ちに判明することになる。
【００１３】
又、燃料量導入に対応して変化する物理量が判明した場合も同じであり、この物理量により、内燃機関の吸気系にパージが実行された場合に、今までよりも、どの程度、濃厚なパージ燃料濃度となるかが、その物理量がパージ燃料濃度変化を表す直接的な値であっても、あるいは間接的な値であっても、この値により直ちに判明する。
【００１４】
したがってパージ制限手段は、キャニスタ導入燃料状態検出手段にて求められた燃料量又は物理量に基づいてパージ率を制限する。
このことにより、封鎖弁開弁の結果としてパージ燃料濃度が急激に高濃度化しても、それに対応して吸気中へのパージ量を制限できることから、内燃機関に供給される混合気はリッチ側に大きく偏る事態が防止できる。
【００１５】
こうして封鎖弁が開弁して大量の燃料蒸気がキャニスタに導入されても迅速に対処でき、パージによる空燃比の荒れを防止することができる。
請求項２に記載の蒸発燃料処理装置は、請求項１に記載の蒸発燃料処理装置において、前記キャニスタ導入燃料状態検出手段は、前記燃料タンク内圧検出手段にて検出された前記燃料タンクの内圧と、前記封鎖弁開弁手段による前記封鎖弁の開弁制御状態とに基づいて、前記燃料量導入に対応して変化する物理量としてのパージ燃料濃度変化量を求めることを特徴とする。
【００１６】
封鎖弁開弁時に燃料タンクからキャニスタへ流れる蒸気状態の燃料量は、燃料タンク内圧と封鎖弁の開弁制御状態とに対応したものとなる。そしてキャニスタに導入された燃料はその量がパージ燃料濃度に反映される。
【００１７】
したがってキャニスタ導入燃料状態検出手段は、燃料タンク内圧検出手段にて検出された燃料タンクの内圧と、封鎖弁開弁手段による封鎖弁の開弁制御状態とに基づいて、燃料量導入に対応して変化する物理量として、パージ燃料濃度変化量を求めている。
【００１８】
このパージ燃料濃度変化量に基づいてパージ制限手段がパージ率を制限することで、パージ燃料濃度が大きく濃厚な方向へ変化しても、内燃機関に供給される混合気がリッチ側に大きく偏る事態を防止できる。
【００１９】
請求項３に記載の蒸発燃料処理装置は、請求項２に記載の蒸発燃料処理装置において、前記封鎖弁は電磁弁であり、前記封鎖弁開弁手段は、前記封鎖弁をデューティ制御により開弁制御し、このデューティ制御における出力デューティが前記開弁制御状態に相当することを特徴とする。
【００２０】
封鎖弁開弁手段が、電磁弁である封鎖弁をデューティ制御により開弁制御をしている場合には、封鎖弁の開弁制御状態としては、このデューティ制御における出力デューティを、開弁制御状態として用いることができる。
【００２１】
出力デューティにより封鎖弁の開度が調節されることから出力デューティにより燃料タンクからキャニスタへ流れる燃料蒸気量の程度が判明する。
したがってキャニスタ導入燃料状態検出手段は、燃料タンク内圧検出手段にて検出された燃料タンクの内圧と、封鎖弁開弁手段による出力デューティとに基づいて、パージ燃料濃度変化量を求めることができる。
【００２２】
請求項４に記載の蒸発燃料処理装置は、請求項２に記載の蒸発燃料処理装置において、前記封鎖弁は電磁弁であり、前記封鎖弁開弁手段は、前記封鎖弁を電流量制御により開弁制御し、この電流量制御における電流量、電力量又は電圧値が前記開弁制御状態に相当することを特徴とする。
【００２３】
封鎖弁開弁手段が、電磁弁である封鎖弁を電流量制御により開弁制御をしている場合には、封鎖弁の開弁制御状態としては、この電流量制御における電流量、電力量又は電圧値を、開弁制御状態として用いることができる。
【００２４】
電流量により封鎖弁の開度が調節されることから、電流量ばかりでなく、電力量又は電圧値によって燃料タンクからキャニスタへ流れる燃料蒸気量の程度が判明する。
したがってキャニスタ導入燃料状態検出手段は、燃料タンク内圧検出手段にて検出された燃料タンクの内圧と、電流量制御における電流量、電力量又は電圧値とに基づいて、パージ燃料濃度変化量を求めることができる。
【００２５】
請求項５に記載の蒸発燃料処理装置は、請求項１〜４のいずれか一項に記載の蒸発燃料処理装置において、前記パージ制限手段は、内燃機関にて燃焼される混合気におけるリッチ側の許容空燃比を限界として、前記パージ率を制限するものであることを特徴とする。
【００２６】
混合気のリッチ化においても空燃比の荒れが小さくて問題とならない程度の許容量が存在する。すなわち、エミッションの悪化、ドライバビリティの悪化、あるいは空燃比学習制御上の誤差が問題とならいない程度のリッチ空燃比の範囲が存在する。
【００２７】
したがってこのような許容空燃比を限界とするように、パージ制限手段はパージ率を制限することができる。
請求項６に記載の蒸発燃料処理装置は、請求項１〜５のいずれか一項に記載の蒸発燃料処理装置において、前記パージ制限手段は、前記パージ率の制限を開始してから、前記パージ制御での積算パージ量が基準量より大きくなった場合に前記パージ率の制限を解除することを特徴とする。
【００２８】
封鎖弁開弁が発生した後、或る程度、パージしている時間が経過すれば、空燃比フィードバック制御によりパージ燃料濃度が高精度に判明し、このパージ燃料濃度に対応したパージ制御及び空燃比フィードバック制御が可能となる。
【００２９】
したがってパージ制限手段は、パージ率の制限を開始してから、パージ制御での積算パージ量が基準量より大きくなった場合にパージ率の制限を解除する。
このようにして封鎖弁開弁時から制限していたパージ率を元のパージ率に戻して、通常のパージ制御に復帰することができる。
【００３０】
請求項７に記載の蒸発燃料処理装置は、請求項１〜５のいずれか一項に記載の蒸発燃料処理装置において、前記パージ制限手段は、前記パージ率の制限を開始してから、空燃比フィードバック制御による空燃比が安定した場合に前記パージ率の制限を解除することを特徴とする。
【００３１】
封鎖弁開弁により空燃比が変動し、その後に空燃比が安定した状態は、空燃比フィードバック制御によりパージ燃料濃度が高精度に学習され、このことにより空燃比フィードバック制御が適切に空燃比を制御できていることを表している。
【００３２】
したがって以後は、通常のパージ制御に戻しても、その更新されたパージ燃料濃度により安定したパージ制御や空燃比フィードバック制御が可能となる。
したがってパージ制限手段は、パージ率の制限を開始してから、空燃比フィードバック制御による空燃比が安定した場合にパージ率の制限を解除する。
【００３３】
このようにして封鎖弁開弁時から制限していたパージ率を元のパージ率に戻して、通常のパージ制御に復帰することができる。
【図面の簡単な説明】
【００３４】
【図１】実施の形態１のハイブリッド車両における駆動系を示すブロック図。
【図２】実施の形態１のＥＣＵが実行する封鎖弁開弁処理のフローチャート。
【図３】同じくパージ率制限解除処理のフローチャート。
【図４】パージ燃料濃度変化量Δｆｇｐｇ算出マップの構成説明図。
【図５】実施の形態１の制御の一例を示すタイミングチャート。
【図６】比較例を示すタイミングチャート。
【発明を実施するための形態】
【００３５】
［実施の形態１］
〈構成〉図１は、上述した発明が適用されたハイブリッド車両における駆動系のブロック図である。この駆動系は、内燃機関２と、電動機（後述するモータジェネレータＭＧ１，ＭＧ２）とを備えている。この内燃機関２はガソリンエンジンである。内燃機関２は燃料供給系４及び制御系６を備えている。
【００３６】
このハイブリッド車両はプラグイン型ハイブリッド車両である。したがって外部電源８から充電機構１０を介してバッテリ１２が充電可能とされている。このバッテリ１２の電力が、電力制御ユニット１４により、モータジェネレータＭＧ１に供給されることにより、モータジェネレータＭＧ１から回転駆動力が出力される。
【００３７】
内燃機関２及びモータジェネレータＭＧ１からの回転駆動力は減速機構１６により減速されて、駆動輪１８に伝達される。
内燃機関２と減速機構１６との間には、動力分割機構２０が配置されており、内燃機関２の回転駆動力を、減速機構１６側と、発電機としてのもう一つのモータジェネレータＭＧ２側とに分割して供給可能としている。
【００３８】
尚、２つのモータジェネレータＭＧ１，ＭＧ２は、それぞれ発電機としても電動モータとしても機能し、必要に応じてその間の機能を切り替えることができる。
内燃機関２の各気筒に対応する吸気ポート２２にはそれぞれ燃料噴射弁２４が配置されている。これらの燃料噴射弁２４には、燃料タンク２６内に貯留されている燃料が、燃料ポンプモジュール２８により、燃料経路２８ｂを介して圧送されて来る。そして燃料噴射制御により、燃料噴射弁２４からは所定のタイミングで吸気中に燃料が噴射され、各気筒に吸入されて燃焼される。このことにより内燃機関２が運転される。
【００３９】
更に燃料ポンプモジュール２８に付属する形で燃料温度センサ２８ａが配置されている。この燃料温度センサ２８ａにより燃料供給系４の燃料温度、ここでは特に燃料タンク２６内の燃料温度Ｔｆを検出している。
【００４０】
燃料供給系４は、蒸発燃料処理装置としても機能し、燃料タンク２６、キャニスタ３６、これらに付属する各種通路、各種弁及び各種ポンプなどから構成されている。
燃料タンク２６内には、フロート３０ａにより燃料タンク２６内の燃料液面レベルＳＧＬを検出するためのフューエルセンダーゲージ３０が設けられている。燃料タンク２６の上部にはタンク内圧センサ３２が設けられて、燃料タンク２６の上部空間２６ａ内の圧力（タンク内圧Ｐｔｆ）を検出している。このタンク内圧Ｐｔｆ（Ｐａ）は実際には大気圧と上部空間２６ａとの差圧であるが、上部空間２６ａの絶対圧を検出するものであっても良い。
【００４１】
給油時における燃料タンク２６内への燃料導入は、フューエルインレットパイプ３４から行われる。燃料タンク２６の上部空間２６ａは蒸発燃料通路３５によりキャニスタ３６に接続されている。蒸発燃料通路３５の途中には封鎖弁３８ａとリリーフ弁３８ｂとを備えた封鎖弁ユニット３８が設けられている。
【００４２】
封鎖弁３８ａは、通電により開弁制御される電磁弁であり、給油時には、封鎖弁３８ａが開弁状態に制御される。このことで燃料タンク２６の上部空間２６ａとキャニスタ３６内とが蒸発燃料通路３５により連通する。このため給油時には、燃料タンク２６の上部空間２６ａに発生している燃料蒸気はキャニスタ３６側へ排出される。そしてキャニスタ３６では内部に収納されている活性炭などの吸着材により、その燃料蒸気を吸着する。このことにより燃料蒸気が外部へ漏出しないようにしている。
【００４３】
封鎖弁３８ａが閉弁状態にされている場合、すなわち蒸発燃料通路３５が封鎖されて燃料タンク２６が密閉されると、燃料タンク２６の上部空間２６ａに発生している燃料蒸気はキャニスタ３６側へは排出されない。
【００４４】
キャニスタ３６にはフューエルインレットパイプ３４に設けられたフューエルインレットボックス３４ａに連通する大気通路４０が接続されている。この大気通路４０には途中にエアフィルタ４０ａが設けられている。更に大気通路４０には、エアフィルタ４０ａよりもキャニスタ３６側の位置に、リーク診断用のポンプモジュール４２が設けられている。尚、このリーク診断用のポンプモジュール４２に付属して、常開型電磁弁として構成されてキャニスタ３６内を大気通路４０を介して大気開放する大気開放弁４２ａと、キャニスタ３６側の内圧Ｐｃを検出する圧力センサ４２ｂとが設けられている。
【００４５】
キャニスタ３６は、パージ通路４４により、内燃機関２の吸気通路４６に接続されている。特に吸入空気量を調節するスロットルバルブ４８よりも下流の位置で接続されている。パージ通路４４の途中には常閉型電磁弁としてのパージ制御弁５０が配置されている。
【００４６】
このパージ制御弁５０と大気開放弁４２ａとが、内燃機関２の運転時に開弁状態とされることでパージが実行される。すなわち吸気通路４６内の吸気負圧がパージ通路４４側からキャニスタ３６内に導入されることでキャニスタ３６内の吸着材から燃料蒸気が離脱して、大気通路４０側から導入される空気の気流中に放出される。そして燃料蒸気は、気流に乗ってパージ通路４４からパージ制御弁５０を通過して吸気通路４６内を流れる吸気中に放出される。このとき、吸気中へのパージ率はパージ制御弁５０の開度により調節される。そしてサージタンク５２内に流れ込んだパージ燃料蒸気を含む吸気は、各気筒の吸気ポート２２に分配され、燃料噴射弁２４から噴射される燃料と共に、各気筒の燃焼室内に流れ込んで燃焼されることになる。
【００４７】
吸気通路４６においては、エアフィルタ５４とスロットルバルブ４８との間にエアフロメータ５６が設けられて、内燃機関２に供給される吸入空気量ＧＡ（ｇ／ｓｅｃ）を検出している。
【００４８】
内燃機関２から燃焼後の排気を排出する排気通路５８には空燃比センサ（あるいは酸素センサ）６０が設けられ、空燃比フィードバック制御のために、排気成分から空燃比あるいは酸素濃度を検出している。
【００４９】
この他、車両ドライバーが操作するアクセルペダルに設けられてアクセル開度ＡＣＣＰを検出するアクセル開度センサ６２、内燃機関２のクランク軸の回転数ＮＥを検出する機関回転数センサ６４、ＩＧＳＷ（イグニションスイッチ）６６、その他のセンサ・スイッチ類が設けられて、それぞれ信号を出力している。他の信号としては、例えば冷却水温、吸気温、車速などが挙げられる。
【００５０】
燃料温度センサ２８ａ、フューエルセンダーゲージ３０、スロットル開度センサ４８ａ、エアフロメータ５６、空燃比センサ６０、アクセル開度センサ６２、機関回転数センサ６４、ＩＧＳＷ６６などの検出信号は、マイクロコンピュータを中心として構成されているＥＣＵ（電子制御回路）７０に入力される。
【００５１】
そして、このような信号データや予め記憶されたり算出されたりするデータに基づいて、ＥＣＵ７０は演算処理を実行して、燃料噴射弁２４からの燃料噴射量、スロットルバルブ４８の開度ＴＡなどを制御する。
【００５２】
更にＥＣＵ７０は、内燃機関２が運転されている期間においてパージ制御処理を実行する。このパージ制御処理は、給油に伴って封鎖弁３８ａが開弁されることにより燃料タンク２６側から蒸発燃料通路３５を介してキャニスタ３６側に吸着された燃料蒸気を、内燃機関運転中に吸気通路４６に放出する処理である。
【００５３】
このパージ制御処理では、パージ制御弁５０の開弁をデューティ制御することでパージ率を調節して、キャニスタ３６に吸着されている燃料蒸気を、パージ通路４４を介して吸気通路４６へ放出する。尚、このときにパージされる燃料蒸気の濃度（パージ燃料濃度ｆｇｐｇ）は、ＥＣＵ７０が実行する空燃比フィードバック制御における空燃比の制御ずれ量に基づいて、周期的に行われる演算により学習値として求められている。
〈作用〉次に本実施の形態の作用について、ＥＣＵ７０が実行する封鎖弁開弁処理（図２）及びパージ率制限解除処理（図３）に基づいて説明する。この封鎖弁開弁処理（図２）及びパージ率制限解除処理（図３）はＥＣＵ７０にて周期的に実行される処理である。尚、個々の処理内容に対応するフローチャート中のステップを「Ｓ〜」で表す。
【００５４】
まず、封鎖弁開弁処理（図２）について説明する。本処理が開始されると、まずタンク内圧センサ３２からタンク内圧Ｐｔｆが読み込まれる（Ｓ１０２）。次にこのタンク内圧Ｐｔｆが基準内圧を越えているか否かが判定される（Ｓ１０４）。
【００５５】
この基準内圧は、封鎖弁３８ａを開弁を決定するものであり、タンク内圧Ｐｔｆ＞基準内圧であれば、燃料タンク２６の上部空間２６ａが高圧状態であるとして、封鎖弁３８ａの開弁制御を実行することになる。
【００５６】
ここでタンク内圧Ｐｔｆ≦基準内圧であれば（Ｓ１０４でＮＯ）、燃料タンク２６の上部空間２６ａの圧力は高圧化していない。したがってＥＣＵ７０は封鎖弁３８ａを開弁する必要がないことから、このまま本処理を出る。以後、別途行われる給油時での封鎖弁３８ａの開弁制御を除いて、タンク内圧Ｐｔｆ≦基準内圧である限り（Ｓ１０４でＮＯ）、本処理では封鎖弁３８ａの開弁は実行されない。
【００５７】
燃料タンク２６の温度上昇や外気圧低下などにより、燃料タンク２６の上部空間２６ａの圧力が上昇してタンク内圧Ｐｔｆ＞基準内圧となると（Ｓ１０４でＹＥＳ）、次に封鎖弁３８ａの開弁のための出力デューティＤｕｔｙ（％）の算出が行われる（Ｓ１０６）。
【００５８】
ここでは、タンク内圧Ｐｔｆに基づいてマップにより出力デューティＤｕｔｙを求めている。具体的にはタンク内圧Ｐｔｆが大きいほど出力デューティＤｕｔｙが小さくなるようにされている。
【００５９】
次にタンク内圧Ｐｔｆと、上述したごとく算出した出力デューティＤｕｔｙとに基づいて、図４に示す算出マップからパージ燃料濃度変化量Δｆｇｐｇ（ｇ／Ｌ）を算出する（Ｓ１０８）。
【００６０】
この算出マップは実験やシミュレーション計算に基づいて予め設定されている。図４に破線の等高線にて傾向を示しているように、出力デューティＤｕｔｙが大きいほどあるいはタンク内圧Ｐｔｆが大きいほど、燃料タンク２６からキャニスタ３６へ移動する燃料量は増加するので、パージ燃料濃度変化量Δｆｇｐｇは大きい値とされる。逆に出力デューティＤｕｔｙが小さいほどあるいはタンク内圧Ｐｔｆが小さいほど、燃料タンク２６からキャニスタ３６へ移動する燃料量は減少するので、パージ燃料濃度変化量Δｆｇｐｇは小さい値とされる。
【００６１】
尚、図４の算出マップに設定されているパージ燃料濃度変化量Δｆｇｐｇは、対応するタンク内圧Ｐｔｆと出力デューティＤｕｔｙとに対して生じると予想される最大のパージ燃料濃度変化量が設定されている。
【００６２】
次にこのように求められたパージ燃料濃度変化量Δｆｇｐｇに基づいて、空燃比Ａ／Ｆの荒れを防止できる制限パージ率Ｌｔｐｇ（％）を算出する（Ｓ１１０）。
制限パージ率Ｌｔｐｇは、例えば次のようにして設定されている値である。
【００６３】
まず、内燃機関２が、空燃比フィードバック制御により空燃比Ａ／Ｆが理論空燃比（Ａ／Ｆ＝１４．６）で運転されている状態で、封鎖弁３８ａが開弁して、吸気通路４６内にパージされる気体に、前記パージ燃料濃度変化量Δｆｇｐｇの燃料濃度変化が生じたものとする。
【００６４】
このパージ燃料濃度変化量Δｆｇｐｇにより、直前まで理論空燃比であった混合気は、その時のパージ率では、次の式１の計算で示される空燃比［Ａ／Ｆ］ｐｇに変化する。
［式１］  ［Ａ／Ｆ］ｐｇ  ←  １４．６／（Δｆｇｐｇ×パージ率／１００＋１）
ここでリッチ側で許容できる空燃比Ａ／Ｆの限界値をリッチ限界空燃比［Ａ／Ｆ］ｒｈとすると、上記式１にて求められる空燃比［Ａ／Ｆ］ｐｇは、次の式２を満足する必要がある。
【００６５】
［式２］  ［Ａ／Ｆ］ｐｇ  ≧  ［Ａ／Ｆ］ｒｈ
尚、この式２は［Ａ／Ｆ］ｐｇ＞［Ａ／Ｆ］ｒｈとしても良い。
上記式２の左辺に、上記式１の右辺を代入して、左辺をパージ率のみにすると、式３の関係が得られる。
【００６６】
［式３］  パージ率  ≦  （１４．６／［Ａ／Ｆ］ｒｈ−１）×１００／Δｆｇｐｇ
したがってステップＳ１１０では、次の式４に示すごとく、上記式３の右辺の関係を用いて、その計算値を、制限パージ率Ｌｔｐｇとして設定することができる。
【００６７】
［式４］  Ｌｔｐｇ  ←  （１４．６／［Ａ／Ｆ］ｒｈ−１）×１００／Δｆｇｐｇ
このようにして制限パージ率Ｌｔｐｇが求まると、次に、現在、パージ制御中か否かが判定される（Ｓ１１２）。
【００６８】
ＨＶ走行時で内燃機関２が運転中であり、パージ制御弁５０が開弁されることにより吸気通路４６へパージ通路４４を介してキャニスタ３６から燃料蒸気のパージがなされている場合には（Ｓ１１２でＹＥＳ）、そのパージ制御弁５０の開度制御によるパージ率の上限が、制限パージ率Ｌｔｐｇの値に設定される（Ｓ１１４）。
【００６９】
パージ制御がなされていない場合には（Ｓ１１２でＮＯ）、この後にパージが再開された場合のパージ率の上限が制限パージ率Ｌｔｐｇとなるように設定がなされる（Ｓ１１６）。
【００７０】
そしてステップＳ１１４又はステップＳ１１６の設定処理の次には、前記ステップＳ１０６にて算出されている出力デューティＤｕｔｙによる封鎖弁３８ａの開弁制御が実行される（Ｓ１１８）。
【００７１】
こうして本処理を出る。以後の実行周期においても、タンク内圧Ｐｔｆ＞基準内圧である場合には（Ｓ１０４でＹＥＳ）、上述したステップＳ１０６〜Ｓ１１８の一連の処理がなされる。そしてタンク内圧Ｐｔｆ≦基準内圧となれば（Ｓ１０４でＮＯ）、このまま本処理を出る。このようにステップＳ１０４にてＮＯと判定される状態では、ステップＳ１１８の出力デューティＤｕｔｙによる封鎖弁開弁制御は実行されないので、封鎖弁３８ａは閉弁状態に戻る。ただしステップＳ１０４でＮＯと判定されても制限パージ率Ｌｔｐｇによるパージ率の制限は継続している。
【００７２】
パージ率制限解除処理（図３）について説明する。本処理が開始されると、まず、封鎖弁開弁処理（図２）にて制限パージ率Ｌｔｐｇによるパージ率の上限設定中か否かが判定される（Ｓ１５２）。
【００７３】
パージ率の上限設定中でなければ（Ｓ１５２でＮＯ）、このまま本処理を出る。
パージ率の上限設定中であれば（Ｓ１５２でＹＥＳ）、封鎖弁３８ａが閉弁したか否かが判定される（Ｓ１５４）。すなわちタンク内圧Ｐｔｆ≦基準内圧となってステップＳ１１８が実行されなくなることにより、封鎖弁３８ａが閉弁状態となったか否かが判定される。
【００７４】
封鎖弁３８ａが未だ閉弁していない場合には（Ｓ１５４でＮＯ）、このまま本処理を出る。
封鎖弁３８ａが閉弁状態となると（Ｓ１５４でＹＥＳ）、次にパージ制御中か否かが判定される（Ｓ１５６）。パージ制御中でない場合（Ｓ１５６でＮＯ）、すなわちパージ制御弁５０の開弁制御によりキャニスタ３６内の燃料蒸気を吸気通路４６にパージしていない状態では、このまま処理を出る。
【００７５】
パージ制御中である場合（Ｓ１５６でＹＥＳ）、すなわち、パージ率の上限が設定されており、封鎖弁３８ａが閉弁状態となっており、この状態でパージ制御がなされている場合には、積算パージ量の積算処理が実行される（Ｓ１５８）。
【００７６】
この積算処理は、封鎖弁３８ａが閉弁状態となった後のパージ制御時にて、パージ率と吸入空気量ＧＡとから実行周期１周期分のパージ量（Ｌ）を計算し、この１周期分のパージ量を、実行周期毎に積算して積算パージ量として算出する処理である。
【００７７】
次にこの封鎖弁閉弁後の積算パージ量が基準量を越えたか否かが判定される（Ｓ１６０）。
封鎖弁閉弁後の積算パージ量≦基準量である場合は（Ｓ１６０でＮＯ）、パージ期間が短く空燃比フィードバック制御によりパージ燃料濃度ｆｇｐｇが正確に判明していないとして、このまま本処理を出る。
【００７８】
パージが継続することにより、封鎖弁閉弁後の積算パージ量＞基準量となると（Ｓ１６０でＹＥＳ）、パージ率上限設定を解除する（Ｓ１６２）。
すなわち、積算パージ量＞基準量となる状態では、封鎖弁３８ａの開弁によりキャニスタ３６に大量に導入された燃料蒸気によるパージ期間が十分に経過し、空燃比フィードバック制御によりパージ燃料濃度ｆｇｐｇが高精度に判明している。このことから、パージ率の制限を解除して通常のパージ制御に移行しても、空燃比Ａ／Ｆの荒れは生じないように制御されることから、パージ率上限を解除している。
【００７９】
そしてステップＳ１５８で計算していた積算パージ量をクリアする（Ｓ１６４）。こうして本処理を出る。
以後は、再度、封鎖弁開弁処理（図２）にてパージ率が制限されるまでは、ステップＳ１５２にてＮＯと判定されるようになる。そして上述したごとく再びステップＳ１５２，Ｓ１５４，Ｓ１５６が満足されると、封鎖弁３８ａの閉弁後の積算パージ量が基準量を越えてから（Ｓ１６０でＹＥＳ）、パージ率上限設定を解除する（Ｓ１６２）という一連の処理を繰り返す。
【００８０】
図５は、上述した処理の一例を示すタイミングチャートである。図５に示すごとく、タンク内圧Ｐｔｆが上昇し、タイミングｔ０にて基準内圧を超えると（図２：Ｓ１０４でＹＥＳ）、封鎖弁３８ａの開弁制御のための出力デューティＤｕｔｙが算出され（Ｓ１０６）、この出力デューティＤｕｔｙとタンク内圧Ｐｔｆとからパージ燃料濃度変化量Δｆｇｐｇが算出される（Ｓ１０８）。そしてこのパージ燃料濃度変化量Δｆｇｐｇから制限パージ率Ｌｔｐｇが算出され（Ｓ１１０）、このときのパージ率がパージ燃料濃度変化量Δｆｇｐｇよりも高い場合には、制限パージ率Ｌｔｐｇにまでパージ率が直ちに減少される。
【００８１】
このように制限パージ率Ｌｔｐｇによりパージ率の上限が設定されるので、直後のタイミングｔ１〜ｔ２にて、出力デューティＤｕｔｙによる封鎖弁３８ａの開弁処理を実行してパージ燃料濃度ｆｇｐｇが実線で示すごとく急激に高濃度化しても、その後（ｔ３〜ｔ４）に生じる空燃比Ａ／Ｆの荒れ（過剰なリッチ化）は防止される。すなわち実線で示すごとく空燃比Ａ／Ｆはリッチ側許容Ａ／Ｆよりも小さくならない。
【００８２】
そして封鎖弁３８ａの閉弁（ｔ２）以後の積算パージ量が基準量を越えたタイミングｔ５にて（図３：Ｓ１６０でＹＥＳ）、制限パージ率Ｌｔｐｇによる上限設定は解除される（Ｓ１６２）。このことにより図５の例ではパージ率を次第に上昇させている。
【００８３】
図５のパージ燃料濃度ｆｇｐｇ及び空燃比Ａ／Ｆにおいて破線で示している状態は、パージ率を制限パージ率Ｌｔｐｇにて制限したが、実際には大きなパージ燃料濃度ｆｇｐｇの変化が生じなかった場合を示している。この場合には制限パージ率Ｌｔｐｇによる制限がしばらくなされているのみであり、空燃比Ａ／Ｆはほとんど変化しない。
【００８４】
図６に比較例として制限パージ率Ｌｔｐｇを設定しない場合の例を示す。封鎖弁３８ａの開弁（ｔ１１〜ｔ１２）に対してパージ率を制限しなかった場合には、空燃比Ａ／Ｆの荒れが大きくなり、リッチ側許容Ａ／Ｆよりも低い空燃比Ａ／Ｆ状態が生じる（ｔ１３〜ｔ１４）。この空燃比Ａ／Ｆの荒れが生じてから、空燃比フィードバック制御とパージ制御とによりパージ率は減少されることになるが、このような比較例の制御では空燃比Ａ／Ｆの荒れは防止できない。
〈請求項との関係〉上述した構成において、タンク内圧センサ３２が燃料タンク内圧検出手段に相当し、ＥＣＵ７０が封鎖弁開弁手段、キャニスタ導入燃料状態検出手段、及びパージ制限手段に相当する。ＥＣＵ７０が実行する封鎖弁開弁処理（図２）のステップＳ１０４，Ｓ１０６，Ｓ１１８が封鎖弁開弁手段としての処理に、ステップＳ１０８がキャニスタ導入燃料状態検出手段としての処理に、ステップＳ１１０〜Ｓ１１６及びパージ率制限解除処理（図３）がパージ制限手段としての処理に相当する。
〈効果〉（１）封鎖弁開弁処理（図２）のステップＳ１０８ではタンク内圧Ｐｔｆと、封鎖弁３８ａの開弁制御状態である出力デューティＤｕｔｙとからパージ燃料濃度変化量Δｆｇｐｇを算出している。
【００８５】
このパージ燃料濃度変化量Δｆｇｐｇは、封鎖弁３８ａの開弁により蒸発燃料通路３５を介して燃料タンク２６からキャニスタ３６に導入された燃料量に対応して変化する物理量に相当し、パージ時にキャニスタ３６から吸気通路４６へ流れる気体におけるパージ燃料濃度ｆｇｐｇの高濃度化程度を表している。
【００８６】
そしてステップＳ１１０にて、パージ燃料濃度ｆｇｐｇの高濃度化により引き起こされる空燃比Ａ／Ｆの荒れを防止できる制限パージ率Ｌｔｐｇを算出し、ステップＳ１１４又はステップＳ１１６にて制限パージ率Ｌｔｐｇによりパージ率を制限している。
【００８７】
特に制限パージ率Ｌｔｐｇは、内燃機関２にて燃焼される混合気におけるリッチ側の許容空燃比を限界としてパージ率を制限するように設定されたものである。
したがって封鎖弁３８ａの開弁によりパージ燃料濃度ｆｇｐｇが急激に高濃度化しても、この高濃度化に対応してパージ率にて吸気中へのパージ量を制限できることから、内燃機関２に供給される混合気がリッチ側に大きく偏る事態、ここではリッチ側の許容限界を外れる事態を防止できる。
【００８８】
このことにより封鎖弁３８ａが開弁して大量の燃料蒸気がキャニスタ３６に導入されても迅速に対処でき、パージによる空燃比の荒れを防止することができる。
こうしてエミッションの悪化、ドライバビリティ悪化、あるいは空燃比学習制御上の誤差が大きくなるような事態を防止することができる。
【００８９】
（２）ステップＳ１０６では封鎖弁３８ａの開度を調節する出力デューティＤｕｔｙは、タンク内圧Ｐｔｆに応じて設定されている。
タンク内圧Ｐｔｆが高い場合には、封鎖弁３８ａを開弁すると急激に蒸発燃料通路３５を流れてキャニスタ３６に衝撃を与えたり、キャニスタ３６を吹き抜けてパージ燃料濃度が高濃度側に大きく変動したり、あるいは外気に漏出したりするおそれがある。
【００９０】
したがって出力デューティＤｕｔｙは、タンク内圧Ｐｔｆに応じて設定することで、蒸発燃料通路３５での急激な流れを抑制できる。
（３）封鎖弁３８ａを開弁した後、或る程度、パージしている時間が経過すれば、空燃比フィードバック制御によりパージ燃料濃度ｆｇｐｇが判明し、パージ燃料濃度ｆｇｐｇに対応したパージ制御及び空燃比フィードバック制御が可能となる。
【００９１】
このためパージ率制限解除処理（図３）では、パージ率の制限を開始してから、パージ制御での積算パージ量が基準量より大きくなった場合に（Ｓ１６０でＹＥＳ）、パージ率の制限を解除している（Ｓ１６２）。
【００９２】
このようにして封鎖弁３８ａの開弁時から制限していたパージ率を元のパージ率に戻して、通常のパージ制御に復帰することができる。
［その他の実施の形態］
・前記図４の２次元マップでは、パージ燃料濃度変化量Δｆｇｐｇを算出していたが、マップから求めるのは、濃度変化量ではなく、封鎖弁３８ａの開弁により燃料タンク２６からキャニスタ３６に導入される燃料量（この場合は燃料蒸気量）であっても良い。そしてこの導入された燃料量がその時のキャニスタ３６の吸着状態に対して生じるパージ燃料濃度変化量Δｆｇｐｇを計算して、前記式１〜４を用いて制限パージ率Ｌｔｐｇを算出しても良い。
【００９３】
・前記図４の２次元マップでは、一方のパラメータは、封鎖弁３８ａの開弁制御のための出力デューティＤｕｔｙであった。この出力デューティＤｕｔｙの代わりに、電磁弁としての封鎖弁３８ａを開弁する際にその電磁コイルに流す電流量を用いても良い。あるいはその電流量を流すための電圧値を出力デューティＤｕｔｙの代わりに用いても良い。あるいは電流量と電圧値とから求められる電力量を出力デューティＤｕｔｙの代わりに用いても良い。
【００９４】
・更に前記図４の２次元マップのもう一方のパラメータは、タンク内圧Ｐｔｆであった。同じタンク内圧Ｐｔｆであっても、燃料タンク２６内の燃料温度状態によっては、燃料タンク２６の上部空間２６ａにおける燃料蒸気濃度も異なる。
【００９５】
したがって前記図２におけるステップＳ１０８とステップＳ１１０との間で、前記図４のマップから得られる値（Δｆｇｐｇ）に対して、更に、燃料温度センサ２８ａが検出する燃料温度Ｔｆにより補正することにより、より高精度なパージ燃料濃度変化量Δｆｇｐｇを求めて、ステップＳ１１０にて用いても良い。
【００９６】
・前記封鎖弁開弁処理（図２）では、封鎖弁３８ａを開弁（Ｓ１１８）する前に、ステップＳ１０８〜Ｓ１１６の処理を実行することでパージ率の制限を実行していたが、封鎖弁３８ａを開弁する設定を実行した後に、ステップＳ１０８〜Ｓ１１６と同じ処理を実行することでパージ率の制限を実行しても良い。
【００９７】
この場合には、更に、出力デューティＤｕｔｙあるいは、前述した電流量、電圧値、電力量については、単に制御量として設定された値を用いるのではなく、制御中の値や実測値を用いても良い。すなわち、制御中の出力デューティＤｕｔｙを用いても良く、あるいは実際に電磁コイルに流れている電流に対して実測した電流量、電圧値、又は電力量を用いても良い。
【００９８】
・前記パージ率制限解除処理（図３）では、積算パージ量が基準量より大きくなると（Ｓ１６０でＹＥＳ）パージ率制限は解除していた（Ｓ１６２）。この代わりに空燃比フィードバック制御における空燃比変動（目標空燃比との間のずれ）の程度から判定して空燃比が安定した場合にパージ率制限を解除するようにしても良い。
【符号の説明】
【００９９】
２…内燃機関、４…燃料供給系、６…制御系、８…外部電源、１０…充電機構、１２…バッテリ、１４…電力制御ユニット、１６…減速機構、１８…駆動輪、２０…動力分割機構、２２…吸気ポート、２４…燃料噴射弁、２６…燃料タンク、２６ａ…上部空間、２８…燃料ポンプモジュール、２８ａ…燃料温度センサ、２８ｂ…燃料経路、３０…フューエルセンダーゲージ、３０ａ…フロート、３２…タンク内圧センサ、３４…フューエルインレットパイプ、３４ａ…フューエルインレットボックス、３５…蒸発燃料通路、３６…キャニスタ、３８…封鎖弁ユニット、３８ａ…封鎖弁、３８ｂ…リリーフ弁、４０…大気通路、４０ａ…エアフィルタ、４２…ポンプモジュール、４２ａ…大気開放弁、４２ｂ…圧力センサ、４４…パージ通路、４６…吸気通路、４８…スロットルバルブ、４８ａ…スロットル開度センサ、５０…パージ制御弁、５２…サージタンク、５４…エアフィルタ、５６…エアフロメータ、５８…排気通路、６０…空燃比センサ、６２…アクセル開度センサ、６４…機関回転数センサ、６６…ＩＧＳＷ、７０…ＥＣＵ、ＭＧ１，ＭＧ２…モータジェネレータ。
【図１】
2013036392.tif 000003
【図２】
2013036392.tif 000004
【図３】
2013036392.tif 000005
【図４】
2013036392.tif 000006
【図５】
2013036392.tif 000007
【図６】
2013036392.tif 000008